(57)【要約】【課題】常に手首への適正な装着を促すことのできる手首式血圧計を提供する。【解決手段】空気袋を内蔵し手首に巻き付けるときに手首の付け根Ｐから所定距離Ｈだけ離した位置に巻き付けるカフ帯２と、このカフ帯と一体に結合された血圧計本体１とを備えており、手首に巻き付けたときに手のひらの指先側に位置する前記カフ帯の側縁部に、前記所定距離Ｈと同じ寸法だけ指先側に突出した帯片８を一体に設けた。帯片８は、手首の周方向に沿った長さＳが、手のひら側の手首の幅Ｎよりも短く且つ指先側への突出寸法Ｈよりも長く設定されたものである。帯片の表面には、帯片が手のひら側に向くようにカフ帯を巻きつけることを指示する表記８Ａがなされている。【選択図】図１
2006149682.tif 000002
【特許請求の範囲】
【請求項１】
空気袋を内蔵し手首に巻き付けるときに手首の付け根から所定距離だけ離した位置に巻き付けるカフ帯と、このカフ帯と一体に結合された血圧計本体とを備えており、
手首に巻き付けたときに手のひらの指先側に位置する前記カフ帯の側縁部に、前記所定距離と同じ寸法だけ指先側に突出した帯片を一体に設けたことを特徴とする手首式血圧計。
【請求項２】
前記帯片は、手首の周方向に沿った長さが、手のひら側の手首の幅よりも短く且つ前記指先側への突出寸法よりも長く設定されたものであることを特徴とする請求項１に記載の手首式血圧計。
【請求項３】
前記帯片の表面に、当該帯片が手のひら側に向くようにカフ帯を巻きつけることを指示する表記がなされていることを特徴とする請求項２に記載の手首式血圧計。
【請求項４】
前記帯片の表面における手首の周方向に沿った長さの中心部に、手首の中心部をその位置に合わせることを指示する表記がなされていることを特徴とする請求項２または３に記載の手首式血圧計。
【請求項５】
前記帯片は、前記カフ帯を構成する布または樹脂に一体的に形成されていることを特徴とする請求項１〜４のいずれかに記載の手首式血圧計。
【発明の詳細な説明】
【技術分野】
【０００１】
本発明は、手首にカフ帯（圧迫帯）を巻いてスイッチ操作するだけで、腕まくりせずに血圧測定ができる携帯に便利な手首用血圧計に関する。
【背景技術】
【０００２】
従来の手首式血圧計として、例えば、特許文献１や特許文献２に記載のものが知られている。
図５は従来の手首式血圧計の一例を示す図、図６はその血圧計を手首に装着している様子を示す図である。
【０００３】
この手首式血圧計は、血圧計本体１０に、手首に巻き付けるカフ帯２０を一体に結合したものである。血圧計本体１０を構成する樹脂製の外装ケース１１内には血圧測定のための主要機構部が内蔵され、カフ帯２０には図示しない空気袋が内蔵されている。
【０００４】
この血圧計は、血圧計本体１０上のスイッチ１２を操作すると、空気袋に空気を供給し、カフ帯２０を膨張させて、手首内を通っている動脈を圧迫し、例えば、その後の減圧過程で必要なデータを採取して、採取したデータに基づき血圧を算出し、算出した結果を、血圧計本体１０の上面の表示部１３に表示する機能を有している。従って、測定者自身がその表示を目で見ることにより、測定結果を知ることができる。
【０００５】
この手首用血圧計は、カフ帯２０を手首に巻き付けて、手のひらを上にして、手を軽く開き、肘を机の上などにおいて、手首を心臓の高さにして測定する。この際、注意すべきことは、まず、手首に対し適切に血圧計を装着することである。特に、図６に示すように、手首にカフ帯２０を巻き付ける位置が重要であり、一般的には、手首の付け根（太いシワのある位置）Ｐから１〜２ｃｍ程度の間隔Ｈをあけて、カフ帯２０を巻き付ける必要がある。
【０００６】
そのような注意点は、だいたい取扱説明書に記載してあるが、使い始めの頃は取扱説明書の記載通りに注意を払って装着するものの、次第になれてくると、注意書きの内容を忘れて適当な位置に取り付けてしまうことが多い。また、取扱説明書を特に注意深く読まないで使用する人にとっては、最初からそのような注意書きの内容に気づかずに使ってしまうことが多く、その結果、測定が不正確に行われてしまうことになっていた。
【０００７】
そこで、図５及び図６に示した血圧計では、血圧計本体１０の外装ケース１１の側面に、前記の間隔Ｈを測るシール状のゲージ１６を貼り付けて、手首の付け根Ｐから装着位置までの距離を適正に確保できるようにしている。
【０００８】
【特許文献１】特開平１１−２９９７４８号公報
【特許文献２】特開２００２−２６３０７３号公報
【発明の開示】
【発明が解決しようとする課題】
【０００９】
しかしながら、ゲージ１６と言っても、所詮シール状のものを貼り付けただけであるから、剥がれたり丸まったりする可能性が多分にあり、使いはじめこそ注意を払うものの、次第に注意を留めなくなって、結果的に不適正な装着の習慣を招いてしまうおそれがあった。
【００１０】
本発明は、上記事情を考慮し、常に手首への適正な装着を促すことのできる手首式血圧計を提供することを目的とする。
【課題を解決するための手段】
【００１１】
請求項１の発明の手首式血圧計は、空気袋を内蔵し手首に巻き付けるときに手首の付け根から所定距離だけ離した位置に巻き付けるカフ帯と、このカフ帯と一体に結合された血圧計本体とを備えており、手首に巻き付けたときに手のひらの指先側に位置する前記カフ帯の側縁部に、前記所定距離と同じ寸法だけ指先側に突出した帯片を一体に設けたことを特徴とする。
【００１２】
請求項２の発明は、請求項１において、前記帯片は、手首の周方向に沿った長さが、手のひら側の手首の幅よりも短く且つ前記指先側への突出寸法よりも長く設定されたものであることを特徴とする。
【００１３】
請求項３の発明は、請求項２において、前記帯片の表面に、当該帯片が手のひら側に向くようにカフ帯を巻きつけることを指示する表記がなされていることを特徴とする。
【００１４】
請求項４の発明は、請求項２または３において、前記帯片の表面における手首の周方向に沿った長さの中心部に、手首の中心部をその位置に合わせることを指示する表記がなされていることを特徴とする。
【００１５】
請求項５の発明は、請求項１〜４のいずれかにおいて、前記帯片は、前記カフ帯を構成する布または樹脂に一体的に形成されていることを特徴とする。
【発明の効果】
【００１６】
請求項１の発明の手首式血圧計は、帯片が手のひら側へ向くようにし、且つ、帯片の先端縁が手首の付け根に合致する位置でカフ帯を手首に巻き付けることにより、手首に正しい位置に装着することができる。この場合、その帯片は、血圧計の主要部品であるカフ帯に一体に設けてあるので、製造工程において組み付け忘れをしたり、ユーザーが使っているうちに剥がれて取れたりすることがなく、正しい位置への装着を常にユーザーに印象付けることができる。また、後から付けるものではないので、製造の面倒や部品管理の面倒もない。
【００１７】
請求項２の発明によれば、帯片を横長（手首の周方向の長さの方が突出方向の寸法より長い）に形成してあるので、使用中にへたりにくく、手首の付け根から離す寸法を確実に測ることができる。因みに、帯片が突出方向に長い縦長のものであると、突出方向の任意の位置で折れたり曲がったりしやすくなり、正確に距離を測りづらくなる可能性があると考えられる。また、帯片の手首周方向に沿った寸法を、手首の幅よりも短く設定してあるので、手首を動かす際に邪魔になることもない。
【００１８】
請求項３の発明によれば、帯片の表面に手のひら側となることを指示する表記を設けたので、初めて使用する人にも、間違いのない向きでの装着を促すことができる。
【００１９】
請求項４の発明によれば、帯片の中心部に設けた表記を手首の中心に合わせることにより、血圧計を正しく装着することができる。
【００２０】
請求項５の発明によれば、カフ帯を構成する布や樹脂に帯片を一体に形成したので、形成が簡単にできる。また、長期に亘りへたることもなく、本来のゲージ機能を発揮できる。
【発明を実施するための最良の形態】
【００２１】
以下、本発明の実施形態を図面に基づいて説明する。
図１は実施形態の手首用血圧計を手首に適正に装着した状態を示す図、図２は同血圧計の斜視図、図３は図２のＩＩＩ−ＩＩＩ矢視断面図、図４は同血圧計で使用しているカフ帯の平面図である。
【００２２】
この血圧計は、血圧計本体１と、空気袋２Ｃ（図４参照）を内蔵し手首に巻き付けられるカフ帯２とを一体に結合したものである。血圧計本体１を構成する樹脂製の外装ケース３内には、血圧測定のための主要機構部（例えば、加圧機構、減圧機構、それらの制御部など）が内蔵されており、外装ケース３の上面には、液晶表示部４やスイッチ５などが設けられている。表示する内容としては、測定結果である最高血圧、最低血圧、脈拍等が挙げられる。
【００２３】
カフ帯２は、手首に巻き付けるときに手首の付け根Ｐから所定距離Ｈだけ離した位置に巻き付けられるべきものであり、手首に巻き付けたときに手のひらの指先側に位置する側縁部に、前記所定距離Ｈと同じ寸法だけ指先側に突出した帯片８を一体に備えている。カフ帯２は、例えば図３及び図４に示すように、カフスプリングと呼ばれる樹脂製の芯材２Ｂ（図４では図示省略）の内周部に、所定の大きさの空気袋（内袋）２Ｃを固定し、それらを、外周側が硬い布、内周側が柔らかい布でできた外袋２Ａの中に収容して固定したもので、前記帯片８は、布でできた外袋２Ａまたは樹脂でできた芯材２Ｂの側縁部に一体に形成されている。
【００２４】
この帯片８は、手首の周方向に沿った長さＳが、手のひら側の手首の幅Ｎよりも短く且つ指先側への突出寸法Ｈよりも長く設定されている。また、帯片８の表面には、当該帯片８が手のひら側に向くようにカフ帯２を巻きつけることを指示する表記８Ａ（「手のひら側」の記載）がなされている。また、帯片２の表面における手首周方向に沿った長さの中心部には、手首の中心部をその位置に合わせることを指示する表記８Ｂ（目盛状の線）がなされている。
【００２５】
次に作用を説明する。
この手首式血圧計を使用する場合は、図１に示すように、帯片８が手のひら側へ向くようにし、且つ、帯片８の先端縁が手首の付け根Ｐに合致する位置で、カフ帯２を手首に巻き付ける。そうすることで、手首の付け根Ｐとの間に間隔Ｈをあけて、血圧計を適正に装着することができる。この状態で、血圧計本体１上のスイッチ５を操作する。そうすると、一連の血圧測定動作が実行されることにより、表示部４にその結果が表示される。従って、測定者はその表示を目で見ることにより、測定結果を知ることができる。
【００２６】
この血圧計の場合、装着位置を指示する帯片８を、血圧計の主要部品であるカフ帯２に一体に設けている。従って、組み立て工程の後からシール状のものとしてゲージを貼り付けるのと違って、製造工程において組み付け忘れをしたり、ユーザーが使っているうちに剥がれて取れたりすることがなく、正しい位置への装着を常にユーザーに印象付けることができる。また、後から付けるものではないので、製造の面倒や部品管理の面倒もない。特に、帯片８は、カフ帯２を構成する布（外袋２Ａ）や樹脂（芯材２Ｂ）に一体形成してあるので、形成が簡単にできるし、長期に亘りへたることがなく、本来のゲージ機能を発揮できる。なお、帯片８を布に形成した場合には、保管するときなどに、帯片８を基部で折り曲げてしまっておくことができるので、邪魔にならない。
【００２７】
また、帯片８を横長（手首の周方向の長さＳの方が突出方向の寸法Ｈより長い）に形成してあるので、使用中にへたりにくく、手首の付け根Ｐから離す寸法Ｈを確実に測ることができる。因みに、帯片８が突出方向に長い縦長のものであると、突出方向の任意の位置で折れたり曲がったりしやすくなり、正確に距離を測りづらくなる可能性があると考えられる。また、帯片８の手首周方向に沿った寸法Ｓを、手首の幅Ｎよりも短く設定してあるので、手首を動かす際に邪魔になることもない。
【００２８】
また、帯片８の表面には、手のひら側となることを指示する表記８Ａを設けてあるので、初めて使用する人にも、間違いのない向きでの装着を促すことができる。また、帯片８の表面には、手首の中心に合わせるための表記８Ｂを設けてあるので、手首の中心に合わせやすい。
【図面の簡単な説明】
【００２９】
【図１】本発明の実施形態の手首用血圧計を手首に適正に装着した状態を示す図である。
【図２】同血圧計の斜視図である。
【図３】図２のＩＩＩ−ＩＩＩ矢視断面図である。
【図４】同血圧計で使用しているカフ帯の平面図である。
【図５】従来の手首式血圧計の斜視図である。
【図６】同血圧計を手首に装着している様子を示す図である。
【符号の説明】
【００３０】
１  血圧計本体
２  カフ帯
２Ａ  布でできた外袋
２Ｂ  芯材
２Ｃ  空気袋
３  外装ケース
４  表示部
５  スイッチ
８  帯片
８Ａ，８Ｂ  表記
【図１】
2006149682.tif 000003
【図２】
2006149682.tif 000004
【図３】
2006149682.tif 000005
【図４】
2006149682.tif 000006
【図５】
2006149682.tif 000007
【図６】
2006149682.tif 000008